(57)【要約】【課題】落下等の衝撃でカバーが変形し、内部の機構部品に乗り上げることを抑制する印刷装置を提供する。【解決手段】印刷装置は、サーマルヘッド、及び、プラテンによって印刷媒体を搬送する搬送機構を支持するフレーム７、筐体９を備える。筐体９は、フレーム７を上下方向から覆う第１カバーと第２カバー２０とを有する。フレーム７は、左右方向に沿って延びるリブ５１を有する。第１カバーは、リブ１５、１６を有する。リブ１５は、リブ５１の左端部から左側に離隔して前後方向に延びる。リブ１６は、リブ５１を通過して左右方向に延びる仮想直線Ｌ１に沿って配置され、右端部がリブ１５に接続し、左端部が、第１カバーのうち左側の壁部に接続する。【選択図】図６
2018051912.tif 000002
【特許請求の範囲】
【請求項１】
印刷媒体を搬送するための搬送機構、及び、前記印刷媒体に印刷を行う印刷機構が支持されるフレームと、
前記フレームを内部に収容する箱状の筐体と、
を備えた印刷装置であって、
前記筐体は、
第１方向の一方側から前記フレームの少なくとも一部を覆う第１カバーであって、
前記第１方向と直交する第１板部、及び、
前記第１板部のうち前記第１方向と直交する第２方向の両端部から、前記第１方向の他方側に向けて延びる第２板部
を有する第１カバーと、
前記第１方向の他方側から前記フレームを覆う第２カバーと
を有し、
前記フレームは、前記第１方向の一方側の端部、且つ、前記第２方向の一方側に設けられ、前記第２方向に沿って延びる第１リブを有し、
前記第１カバーは、前記第１板部のうち前記第１方向の他方側の面に設けられた第２リブ及び第３リブを有し、
前記第２リブは、
前記第１リブの前記第２方向の一方側の端部から、前記第２方向の一方側に離隔し、且つ、前記第１方向及び前記第２方向と直交する第３方向に沿って延び、
前記第３リブは、
前記第１リブを通過して前記第２方向に延びる仮想直線に沿って配置され、前記第２方向の他方側の端部が前記第２リブに接続し、前記第２方向の一方側の端部が、前記第１カバーのうち前記第２方向の一方側の第２板部に接続する
ことを特徴とする印刷装置。
【請求項２】
前記第２カバー及び前記フレームに前記第１カバーを固定する固定部を備え、
前記第２リブ及び前記第３リブの接続部分は、前記第１方向から見た場合において、前記第２リブのうち前記固定部に最も近接する近接位置の近傍に配置されたことを特徴とする請求項１に記載の印刷装置。
【請求項３】
前記フレームは、前記搬送機構を覆う第３カバーを有し、
前記第３リブは、前記第３カバーに対して前記第１方向の一方側に離隔することを特徴とする請求項１又は２に記載の印刷装置。
【発明の詳細な説明】
【技術分野】
【０００１】
本発明は、印刷装置に関する。
【背景技術】
【０００２】
携帯可能な印刷装置が提案されている。特許文献１は、ベルトクリップを備えた印刷装置を開示する。例えばユーザは、ベルトクリップを腰ベルトに装着することによって、印刷装置を携帯して使用できる。
【先行技術文献】
【特許文献】
【０００３】
【特許文献１】特開２０１５−１６０４２７号公報
【発明の概要】
【発明が解決しようとする課題】
【０００４】
印刷装置が着脱される際、ユーザが誤って印刷装置を落下させてしまう場合がある。この場合、落下時の印刷装置の高さによっては、落下の衝撃で、印刷装置のカバーが変形して内部の機構部品に乗り上げ、元に戻らなくなる可能性があるという問題点がある。
【０００５】
本発明の目的は、落下等の衝撃でカバーが変形し、内部の機構部品に乗り上げることを抑制する印刷装置を提供することである。
【課題を解決するための手段】
【０００６】
本発明に係る印刷装置は、印刷媒体を搬送するための搬送機構、及び、前記印刷媒体に印刷を行う印刷機構が支持されるフレームと、前記フレームを内部に収容する箱状の筐体と、を備えた印刷装置であって、前記筐体は、第１方向の一方側から前記フレームの少なくとも一部を覆う第１カバーであって、前記第１方向と直交する第１板部、及び、前記第１板部のうち前記第１方向と直交する第２方向の両端部から、前記第１方向の他方側に向けて延びる第２板部を有する第１カバーと、前記第１方向の他方側から前記フレームを覆う第２カバーとを有し、前記フレームは、前記第１方向の一方側の端部、且つ、前記第２方向の一方側に設けられ、前記第２方向に沿って延びる第１リブを有し、前記第１カバーは、前記第１板部のうち前記第１方向の他方側の面に設けられた第２リブ及び第３リブを有し、前記第２リブは、前記第１リブの前記第２方向の一方側の端部から、前記第２方向の一方側に離隔し、且つ、前記第１方向及び前記第２方向と直交する第３方向に沿って延び、前記第３リブは、前記第１リブを通過して前記第２方向に延びる仮想直線に沿って配置され、前記第２方向の他方側の端部が前記第２リブに接続し、前記第２方向の一方側の端部が、前記第１カバーのうち前記第２方向の一方側の第２板部に接続することを特徴とする。
【０００７】
印刷装置は、フレームに第１リブを有し、第１カバーに第２リブ及び第３リブを有する。ここで、印刷装置が落下したことに応じ、第１カバーに対して第２方向の他方側に向かう力が作用した場合を例示する。この場合、第１リブが第２リブに当接し、第１カバーの第２方向の他方側への移動は規制される。これによって、第１カバーが移動に応じてフレームに乗り上げることを、第１リブ及び第２リブによって抑制できる。
【０００８】
印刷装置において、第２リブは第３方向に延びる。これによって、印刷装置の落下の衝撃によって第１カバーが移動し、第２リブに対する第１リブの第３方向の位置がずれた場合でも、第１リブに第２リブを当接させることができる。また、フレームと第１カバーの組付け誤差などによって第２リブに対する第１リブの第３方向の位置がずれている場合でも、第１リブに第２リブを当接させることができる。従って、印刷装置は、第１リブの第３方向の位置がずれた場合でも、第１カバーがフレームに乗り上げることを抑制できる。
【０００９】
印刷装置において、第３リブは、第１リブを通過する仮想直線に沿って配置される。このため、第１リブと第２リブとの当接時、第１リブから受ける力に応じて第２リブが変形することを、第３リブによって抑制できる。
【００１０】
印刷装置において、第１リブと第２リブとは離隔している。つまり、第１リブと第２リブとの間には隙間がある。これによって、第１カバーに対して第２方向の他方側に向かう力が作用した場合、第１カバーは、この隙間分第２方向の他方側に移動できる。これによって、印刷装置の落下時における衝撃を、第１カバーの移動によって吸収できる。従って、印刷装置は、落下時の衝撃によって第１カバーが破損することを抑制できる。
【００１１】
本発明において、前記第２カバー及び前記フレームに前記第１カバーを固定する固定部を備え、前記第２リブ及び前記第３リブの接続部分は、前記第１方向から見た場合において、前記第２リブのうち前記固定部に最も近接する近接位置の近傍に配置されてもよい。この場合、第２リブ及び第３リブの接続部分は、第１カバーが固定される固定部に近接する。つまり、印刷装置では、第１カバーのうち固定部によって安定的に保持される部位の近傍に、第２リブ及び第３リブの接続部分が配置される。従って、印刷装置は、第１カバーがフレームに乗り上げることを、安定的な状態の第２リブ及び第３リブによって適切に抑制できる。
【００１２】
本発明において、前記フレームは、前記搬送機構を覆う第３カバーを有し、前記第３リブは、前記第３カバーに対して前記第１方向の一方側に離隔している。つまり、第３リブと第３カバーとの間には隙間がある。これによって、第１カバーに対して第１方向の他方側に向かう力が作用した場合、第１カバーは、この隙間分第１方向の他方側に移動できる。これによって、印刷装置の落下時における衝撃を、第１カバーの移動によって吸収できる。従って、印刷装置は、落下時の衝撃によって第１カバーが破損することを抑制できる。
【図面の簡単な説明】
【００１３】
【図１】印刷装置１の斜視図である。
【図２】筐体９の収容部９０を示す斜視図である。
【図３】第１カバー１０の斜視図である。
【図４】フレーム７の斜視図である。
【図５】図１のＡ−Ａ線を矢印方向から見た断面図である。
【図６】図１のＢ−Ｂ線を矢印方向から見た断面図である。
【図７】変形例における第１カバー１０の斜視図である。
【図８】変形例におけるフレーム７の斜視図である。
【図９】変形例において、図１のＡ−Ａ線を矢印方向から見た断面図である。
【図１０】変形例において、図１のＢ−Ｂ線を矢印方向から見た断面図である。
【発明を実施するための形態】
【００１４】
＜印刷装置１＞
以下、本発明の実施形態について、図面を参照して説明する。印刷装置１は、印刷媒体（感熱紙）に印刷を行うことが可能な感熱式の印刷装置である。印刷装置１は、電池駆動が可能である。例えば印刷装置１は、非図示のベルトクリップを介してベルトに装着されることによって、作業中の使用者に携帯されて使用される。印刷装置１は、ＵＳＢ（登録商標）ケーブルを介して又は無線通信により非図示の外部端末に接続可能である。印刷装置１は、外部端末から受信した印刷データに基づいて、印刷媒体に文字や図形等を印刷できる。外部端末は汎用のパーソナルコンピュータ（ＰＣ）又は携帯端末である。図１の右下側、左上側、右上側、左下側、上側、及び下側を、それぞれ、印刷装置１の右側、左側、後側、前側、上側、及び下側と定義する。
【００１５】
図１に示すように、印刷装置１は筐体９を備える。筐体９は、前後方向に長い略直方体の箱状を有する。印刷装置１は、前側に表示部９１を有する。表示部９１は、印刷媒体に印刷されるキャラクタや設定情報等を表示可能である。印刷装置１は、右側に蓋部材９２、９３、レバー９４を有する。蓋部材９２は、ＵＳＢソケット９２Ａ（図２参照）及び電源ソケット９２Ｂ（図２参照）を覆う。蓋部材９３は、電池９３Ａ（図２参照）が収容される電池収容部を覆う。レバー９４は上下方向に移動可能である。レバー９４は、後述する蓋カバー３０の開閉を切り替える。
【００１６】
筐体９は、第１カバー１０、第２カバー２０、及び、蓋カバー３０を組み合わせることによって形成される。第１カバー１０は、筐体９の前側、及び、上側のうち前後方向略中央から前側の各壁部を構成する。第２カバー２０は、筐体９の下側、右側、左側、及び、後側の各壁部を構成する。蓋カバー３０は、筐体９の上側のうち前後方向略中央から後側の壁部を構成する。図２に示すように、筐体９は収容部９０を内部に有する。収容部９０には、後述する制御基板６、フレーム７、及びホルダ８が収容される。
【００１７】
＜第１カバー１０＞
図３に示すように、第１カバー１０は、上壁部１１、前壁部１２、右壁部１３、及び、左壁部１４を有する。上壁部１１は板状である。上壁部１１は、上下方向と直交する。上壁部１１は、筐体９の上側の壁部に対応する。前壁部１２は、上壁部１１の前端部から下側に向けて延びる。上壁部１１は、前後方向と直交する。前壁部１２は、筐体９の前側の壁部に対応する。右壁部１３及び左壁部１４は、それぞれ、上壁部１１の右端部及び左端部から下側に向けて、湾曲しながら延びる。右壁部１３は、後述する第２カバー２０の右壁部２２の上端部に係合する。左壁部１４は、後述する第２カバー２０の左壁部２３の上端部に係合する。
【００１８】
上壁部１１の下面の四隅近傍のそれぞれから下側に向けて、円柱状の固定部１１０が延びる。固定部１１０は、右斜め前側の隅近傍から延びる固定部１１Ａ、左斜め前側の隅近傍から延びる固定部１１Ｂ、右斜め後側の隅近傍から延びる固定部１１Ｃ、及び、右斜め前の隅近傍から延びる固定部１１Ｄを有する。各固定部１１０のそれぞれの下面に、螺子穴が設けられる。上壁部１１の下面の略中央から下側に向けて、複数の平板が枠状に配置されたリブ１１Ｅが突出する。
【００１９】
上壁部１１の下面のうち、左壁部１４との接続部分の近傍に、リブ１５、１６、１７が設けられる。リブ１５〜１７は、それぞれ平板状であり、上壁部１１の下面から下側に向けて突出する。リブ１５は、第１部分１５Ａ、第２部分１５Ｂ、及び、第３部分１５Ｃを有する。第１部分１５Ａの側面は左右方向を向く。第１部分１５Ａは、上壁部１１の後端部近傍、且つ、固定部１１Ｄよりも左側に設けられ、前後方向に延びる。第２部分１５Ｂは、第１部分１５Ａの前端部から右側に向けて延びる。第２部分１５Ｂの側面は前後方向を向く。第３部分１５Ｃは、第２部分の右端部から前側に向けて、上壁部１１の前端部近傍まで延びる。第３部分１５Ｃの側面は、左右方向を向く。
【００２０】
リブ１６は、リブ１５の第１部分１５Ａの後端部近傍から、左側に向けて延びる。リブ１６の右端部は、リブ１５の第１部分１５Ａに接続する。リブ１６の左端部は、左壁部１４の内面に接続する。リブ１７は、リブ１５の第３部分１５Ｃの前後方向略中央から、左側に向けて延びる。リブ１７の右端部は、リブ１５の第３部分１５Ｃに接続する。リブ１７の左端部は、左壁部１４の内面に接続する。
【００２１】
前壁部１２は、左右方向に長い長方形状の貫通穴１２Ａを有する。表示部９１（図１参照）は、貫通穴１２Ａを介して外部に露出する。
【００２２】
＜第２カバー２０＞
図２に示すように、第２カバー２０は、下壁部２１、右壁部２２、左壁部２３、及び、後壁部２４（図６参照）を有する。下壁部２１は、筐体９の下側の壁部に対応する。下壁部２１は、電池収容部が下側に形成される部分で上側に湾曲する。以下、この部分を、「湾曲部分２１Ｐ」という。右壁部２２は、下壁部２１の右端部から上側に向けて延びる。左壁部２３は、下壁部２１の左端部から上側に向けて延びる。右壁部２２及び左壁部２３は、それぞれ、筐体９の右側及び左側のそれぞれの壁部に対応する。
【００２３】
下壁部２１は、制御基板６、フレーム７、及び、ホルダ８を上面に保持する。制御基板６は、上下方向に間隔を空けて積層された３つの制御基板を含む。制御基板６には、後述するモータ７２及びサーマルヘッド７４Ａ（図４参照）に電力を供給する電源回路、電源ソケット、ＵＳＢソケット、ＣＰＵ、及び、無線モジュール等が実装される。制御基板６は、下壁部２１のうち前後方向略中央よりも前側に配置される。ホルダ８は、印刷媒体が巻回されたロール８０を回転可能に支持する。ホルダ８は、下壁部２１のうち前後方向略中央よりも後側に配置される。フレーム７は、下壁部２１のうち前後方向略中央に配置される。フレーム７の詳細は後述する。制御基板６、フレーム７、及び、ホルダ８は、第２カバー２０の下壁部２１によって下側を覆われる。
【００２４】
下壁部２１の前後方向略中央よりも前側の部分の四隅近傍のそれぞれから、上側に向けて、円柱状の固定部２１０が延びる。固定部２１０は、右斜め前側の隅近傍から延びる固定部２１Ａ、左斜め前側の隅近傍から延びる固定部２１Ｂ、右斜め後側の隅近傍から延びる固定部２１Ｃ（図６参照）及び、右斜め前の隅近傍から延びる固定部２１Ｄ（図６参照）を有する。固定部２１０のそれぞれの上面に、円形の貫通穴が設けられる。各貫通穴は、下壁部２１を上下方向に貫通する。
【００２５】
第１カバー１０（図３参照）は、第２カバー２０の前後方向略中央よりも前側の部分に、上側から係合する（図１参照）。制御基板６、及び、フレーム７の前側の一部は、第１カバー１０によって上側を覆われる。第２カバー２０の下壁部２１の固定部２１Ａ〜２１Ｄのそれぞれの貫通穴に対して、螺子２９（図５参照）が下側から挿通する。各螺子２９は、第１カバー１０の固定部１１Ａ〜１１Ｄ（図３参照）の螺子穴に螺合する。これによって、第２カバー２０に第１カバー１０が固定される。第１カバー１０のリブ１１Ｅ（図３参照）は、制御基板６に上側から接触し、下側に向けて押す。制御基板６は、第２カバー２０の下壁部２１と、第１カバー１０のリブ１１Ｅとによって、上下両側から挟持される。これによって、制御基板６は収容部９０内で保持される。
【００２６】
第２カバー２０に第１カバー１０が固定された状態で、第１カバー１０の上壁部１１の後端部、第２カバー２０の右壁部２２及び左壁部２３のそれぞれの上端部のうち前後方向略中央よりも後側の部分、及び、第２カバー２０の後壁部２４の上端部は、略矩形状の開口部２を形成する。開口部２は、ホルダ８の上側を開放する。
【００２７】
＜蓋カバー３０＞
図１及び図２に示すように、蓋カバー３０は、第２カバー２０の後壁部２４（図６参照）の上端部に、回転可能に支持される。蓋カバー３０は、開口部２（図２参照）を上側から覆う位置と覆わない位置との間で開閉可能である。図２に示すように、ばね３８は、蓋カバー３０が開口部２を上側から覆う状態（図１参照、以下、「閉塞状態」という。）から覆わない状態（図２参照、以下、「開放状態」という。）に向けて、蓋カバー３０を付勢する。
【００２８】
蓋カバー３０のうち、第２カバー２０に支持された側と反対側の端部に、プラテン体３１が回転可能に支持される。プラテン体３１は、プラテン３２、プラテン軸３３、プラテン軸受３４、３５、及び、ギア３６を有する。プラテン３２は、左右方向に延びる円柱状の部材である。プラテン軸３３は左右方向に延び、プラテン３２の中心を左右方向に貫通する。プラテン軸受３４は、プラテン軸３３のうち、プラテン３２から右側に突出する部分に設けられる。プラテン軸受３５は、プラテン軸３３のうち、プラテン３２から左側に突出する部分に設けられる。ギア３６は、プラテン軸受３５の左側に設けられる。ギア３６は、プラテン軸３３の左側の端部に固定される。
【００２９】
図１に示すように、蓋カバー３０を閉塞状態とした場合、第１カバー１０の上壁部１１の後端部と蓋カバー３０の前端部との間に、排出口９６が形成される。筐体９内で印刷された印刷媒体は、排出口９６を介して外部に排出される。
【００３０】
＜フレーム７＞
図４に示すように、フレーム７は、モータ７２、サーマルヘッド７４Ａ、係合部材７６、レバー９４等を支持する。フレーム７は、支持部７１Ａ〜７１Ｅ（以下、総称して「支持部７１」という。）、搬送機構４、及び、第３カバー５を有する。
【００３１】
支持部７１Ａは、前後方向と直交する板状部材７０１を主な構成要素とする。板状部材７０１の左右方向略中央部は、前側に凸状に曲折する。支持部７１Ａの後側に、可動板７４が保持される。可動板７４は、前後方向を向く。可動板７４の後面にサーマルヘッド７４Ａが設けられる。サーマルヘッド７４Ａは、印刷媒体を加熱することによってキャラクタ等を印刷する。板状部材７０１のうち前側に凸状に曲折した部分の後面から後側に向けて、２つのばね７０２が延びる。２つのばね７０２の後端部は、可動板７４の前面に接続する。可動板７４は、２つのばね７０２によって前後方向に移動可能に支持される。２つのばね７０２は、可動板７４を後側に付勢可能である。可動板７４の上側に、切断部７３が設けられる。切断部７３は、印刷媒体のうちサーマルヘッド７４Ａによって印刷された部分を切り離すことが可能な刃である。切断部７３、及び、サーマルヘッド７４Ａは、筐体９の排出口９６（図１参照）の下側に配置される。
【００３２】
支持部７１Ｂは、支持部７１Ａの左端部近傍から前側に向けて延びる。支持部７１Ｂは、左右方向と直交する平板状の部材である。支持部７１Ｂの右面に、モータ７２が固定される。モータ７２の回転軸は左側に向けて延び、支持部７１Ｂから左側に突出する。
【００３３】
支持部７１Ｃは、支持部７１Ａの右端部近傍から後側に向けて延びる。支持部７１Ｄは、支持部７１Ａの左端部近傍から後側に向けて延びる。支持部７１Ｃ、７１Ｄは、それぞれ、左右方向と直交する平板状の部材を主な構成とする。支持部７１Ｃは、右側部分にレバー９４を上下動可能に支持する。支持部７１Ｃ、７１Ｄは、それぞれによって挟まれた部分に係合部材７６を支持する。
【００３４】
係合部材７６は、左右方向に離隔して対向する一対の第１係合部７６Ａ、及び、一対の第１係合部７６Ａの間に亘って延びる第２係合部７６Ｂを有する。各第１係合部７６Ａは、前側に突出する突出部７６１を上端部に有する。一対の第１係合部７６Ａのそれぞれの突出部７６１は、蓋カバー３０（図１参照）を閉塞状態とした場合に、プラテン体３１のプラテン軸受３４、３５（図２参照）の上側に配置される。係合部材７６は、閉塞状態の蓋カバー３０がばね３８（図２参照）の付勢力で開放状態に向けて回転することを規制する。
【００３５】
右側の第１係合部７６Ａの下端部は、軸７６Ｃによって支持部７１Ｃに回転可能に支持される。図示されていないが、左側の第１係合部７６Ａの下端部は、支持部７１Ｄに回転可能に支持される。レバー９４が上下動することに応じ、右側の第１係合部７６Ａの後端部に挿通する軸９４Ａは上下動する。軸９４Ａが上下動することに応じ、一対の第１係合部７６Ａは回転し、それぞれの上端部に設けられた突出部７６１は後側に移動する。この場合、閉塞状態の蓋カバー３０は、ばね３８（図２参照）の付勢力で開放状態に向けて回転する。
【００３６】
支持部７１Ｂ、７１Ｄの左面に、搬送機構４及び第３カバー５が設けられる。第３カバー５は略平板状であり、３つの螺子７１１により支持部７１Ｂ、７１Ｄに左側から固定される。搬送機構４は、第３カバー５によって周囲を覆われる。搬送機構４は、詳しく図示しないが、複数の連結ギアを有する。複数の連結ギアの１つは、モータ７２の回転軸に接続された非図示のギアに噛合する。第３カバー５の後端部近傍の上側に、開口部５０が設けられる。複数の連結ギアの１つであるギア４１は、開口部５０から露出する。モータ７２が回転した場合、第３カバー５内の複数の連結ギアは回転し、これに応じてギア４１も回転する。
【００３７】
支持部７１Ｅは、支持部７１Ｂの左面上方から左方向に延びる。支持部７１Ｅは、略平板状である。支持部７１Ｅの上側、且つ、支持部７１Ｂの左側に、リブ５１が設けられる。リブ５１は平板状であり、支持部７１Ｅの上面から上側に向けて突出する。リブ５１は、支持部７１Ｂの左面から左側に向けて延びる。リブ５１の側面は前後方向を向く。リブ５１の左右方向の長さは、支持部７１Ｅの左右方向の長さの略１／３である。支持部７１Ｅの上面は、第３カバー５の上端部５Ａと同じ高さである。
【００３８】
蓋カバー３０を閉塞状態とした場合、プラテン３２の左側のギア３６（図２参照）は、搬送機構４のギア４１に噛み合う。モータ７２の回転に応じてギア４１が回転した場合、ギア３６及びプラテン３２は連動して回転する。なおプラテン３２は、蓋カバー３０を閉塞状態とした場合、フレーム７の可動板７４に設けられたサーマルヘッド７４Ａの後側に近接する。プラテン３２は、サーマルヘッド７４Ａとの間に印刷媒体が配置された場合、サーマルヘッド７４Ａに向けて印刷媒体を前側に押し付ける。更に、上記のように搬送機構４によってプラテン３２が回転した場合、プラテン３２は、サーマルヘッド７４Ａに印刷媒体を押し付けながら、排出口９６に向けて印刷媒体を搬送する。
【００３９】
図５に示すように、フレーム７は、支持部７１Ａの右端部の前側に固定部７７Ａを有し、支持部７１Ａの左端部の前側に固定部７７Ｂを有する。固定部７７Ａ、７７Ｂはそれぞれ板状であり、上下方向を向く。固定部７７Ａ、７７Ｂに円形の貫通穴が設けられる。固定部７７Ａは、第１カバー１０の固定部１１Ｃと第２カバー２０の固定部２１Ｃとによって上下方向から挟まれる。固定部７７Ｂは、第１カバー１０の固定部１１Ｄと第２カバー２０の固定部２１Ｄとによって上下方向から挟まれる。螺子２９Ａは、固定部２１Ｃ、７７Ａのそれぞれの貫通穴に下側から挿通し、固定部１１Ｃの螺子穴に螺合する。螺子２９Ｂは、固定部２１Ｄ、７７Ｂのそれぞれの貫通穴に下側から挿通し、固定部１１Ｄの螺子穴に螺合する。これによって、フレーム７は、固定部１１Ｃ、１１Ｄ、２１Ｃ、２１Ｄによって第２カバー２０に固定される。
【００４０】
＜閉塞状態におけるリブ１５、１６、５１の関係＞
図６に示すように、フレーム７の第３カバー５のリブ５１と、第１カバー１０のリブ１５〜１７とは、上下方向において略同一位置に配置される。リブ１５の第１部分１５Ａは、リブ５１に対して左側に配置される。リブ１５の第１部分１５Ａは、リブ５１の左端部から左側に僅かに離隔する。上側から見た状態で、リブ５１を通過して左右方向に延びる仮想直線Ｌ１を定義する。この場合、リブ１６は、仮想直線Ｌ１に沿って配置される。リブ１６、５１は、上側から見た状態で左右方向に一直線状に並ぶ。リブ１５、１６が接続する部分を上側から見たときの接続位置Ｐ１は、仮想直線Ｌ１上に配置される。
【００４１】
上側から見た状態で、リブ１５のうち、第１カバー１０の固定部１１Ｄ及び第２カバー２０の固定部２１Ｄに最も近接する位置を、「近接位置Ｐ２」と定義する。例えば、上側から見た状態で、リブ１５の第１部分１５Ａに対して固定部１１Ｄ、２１Ｄから垂直に延びる仮想直線Ｌ２を定義する。この場合、近接位置Ｐ２は、リブ１５の第１部分１５Ａと仮想直線Ｌ２との交点の位置に対応する。そして、接続位置Ｐ１と近接位置Ｐ２とは近接する。具体的には、接続位置Ｐ１と近接位置Ｐ２との間の距離ΔＬ１は、約３ｍｍとなる。但し、この数値に限定するものではない。
【００４２】
図５に示すように、リブ１５の下端部は、支持部７１Ｅの上面よりも上側に配置される。リブ１６の下端部は、支持部７１Ｅの上面及び第３カバー５の上端部５Ａよりも上側に配置される。リブ１５、１６は、支持部７１Ｅの上面及び第３カバー５の上端部５Ａに対して上側に離隔する。リブ１５、１６は、支持部７１Ｅの上面及び第３カバー５に接触しない。リブ５１の上端部は、第１カバー１０の上壁部１１よりも下側に配置される。リブ５１は、第１カバー１０の上壁部１１に対して下側に離隔する。リブ５１は、第１カバー１０に接触しない。
【００４３】
＜本実施形態の主たる作用、効果＞
印刷装置１が、左壁部２３が下を向いた状態で落下した場合を例示する。この場合、第１カバー１０に対して右側に向かう力Ｆ１（図６参照）が作用する。これに対し、フレーム７は、支持部７１Ｅの上面にリブ５１を有する。第１カバー１０は、リブ１５、１６を有する。第１カバー１０に力Ｆ１が作用した場合、リブ１５の第１部分１５Ａはリブ５１に左側から当接する。第１カバー１０の右側への移動は、リブ１５、５１によって規制される。従って、第１カバー１０が移動することに応じて、第１カバー１０の左壁部１４が上側に湾曲してフレーム７の第３カバー５に乗り上げることを、リブ５１、５１によって抑制できる。
【００４４】
リブ１５の第１部分１５Ａは、前後方向に延びる。このため、印刷装置１の落下の衝撃によって第１カバー１０が移動し、リブ１５に対するリブ５１の前後方向の位置がずれた場合でも、リブ１５の第１部分１５Ａにリブ５１を当接させることができる。また、フレーム７と第１カバー１０の組付け誤差などによって前後方向の位置がずれている場合でも、リブ１５の第１部分１５Ａにリブ５１を当接させることができる。従って、印刷装置１は、リブ５１の前後方向の位置がずれた場合でも、第１カバー１０の左壁部１４がフレーム７の第３カバー５に乗り上げることを抑制できる。
【００４５】
リブ１６は、リブ５１を通過する仮想直線Ｌ１に沿って配置される。このため、リブ１５がリブ５１に左側から当接した場合、リブ５１から受ける力に応じてリブ１５の第１部分１５Ａが変形することを、リブ１６によって抑制できる。
【００４６】
リブ１５の第１部分１５Ａとリブ５１とは左右方向に離隔している。つまり、リブ１５の第１部分１５Ａとリブ５１との間には隙間がある。これによって、第１カバー１０に対して右側に向かう方向の力Ｆ１が作用した場合、第１カバー１０は、この隙間分右側に移動できる。これによって、印刷装置１の落下時における衝撃を、第１カバー１０の移動によって吸収できる。従って、印刷装置１は、落下時の衝撃によって第１カバー１０が破損することを抑制できる。
【００４７】
リブ１５、１６の接続位置Ｐ１は、固定部１１Ｄ、２１Ｄに最も近接する近接位置Ｐ２に近接する。つまり、印刷装置１では、第１カバー１０のうち固定部１１Ｄ、２１Ｄを介して安定的に保持される部位の近傍に、リブ１５、１６の接続位置Ｐ１が配置される。従って、印刷装置１は、第１カバー１０の左壁部１４がフレーム７の第３カバー５に乗り上げることを、安定的な状態のリブ１５、１６によって適切に抑制できる。
【００４８】
印刷装置１が、上壁部１１が下を向いた状態で落下した場合を例示する。この場合、第１カバー１０に対して下側に向かう力Ｆ２（図５参照）が作用する。これに対し、第１カバー１０のリブ１５、１６は、支持部７１Ｅの上面及び第３カバー５の上端部５Ａに対して上側に離隔している。つまり、リブ１５、１６と、支持部７１Ｅの上面及び第３カバー５の上端部５Ａとの間には隙間がある。又、第３カバー５のリブ５１は、第１カバー１０の上壁部１１に対して下側に離隔している。つまり、リブ５１と第１カバー１０の上壁部１１との間には隙間がある。このため、力Ｆ２が第１カバー１０に作用した場合、第１カバー１０は、この隙間分下側に移動できる。これによって、印刷装置１の落下時における衝撃を、第１カバー１０の移動によって吸収できる。従って、印刷装置１は、落下時の衝撃によって第１カバー１０が破損することを抑制できる。また、印刷装置１は、落下時の衝撃によっては、フレーム７に対して第３カバー５が上方向に移動する場合がある。この場合は、第３カバー５の上端部５Ａがリブ１６に当接して、第３カバー５の上方向の移動を抑制することができる。
【００４９】
＜変形例＞
図７から図９を参照し、印刷装置１の変形例について説明する。変形例では、リブ５１の代わりにリブ５５が設けられる（図８参照）。リブ１５、１６、１７の代わりに、リブ９５、９７が設けられる（図７参照）。その他の構成は、上記実施形態と同一である。以下では、上記実施形態と同一の構成に同一符号を付し、説明を省略する。
【００５０】
図７に示すように、上壁部１１の下面のうち、左壁部１４との接続部分の近傍に、リブ９５、９７が設けられる。リブ９５、９７は、それぞれ、リブ１５、１７（図３参照）に対応する。リブ１６に対応する部材は設けられない。リブ９５の第１部分９５Ａ、第２部分９５Ｂ、第３部分９５Ｃは、それぞれ、リブ１５の第１部分１５Ａ、第２部分１５Ｂ、第３部分１５Ｃに対応する。リブ９５がリブ１５と異なる点は、第１部分９５Ａの後端部の位置が、第１部分１５Ａの後端部の位置よりも前側に配置される点である。リブ９７は、リブ１７と同様、リブ９５の第１部分９５Ａの前後方向略中央から、左側に向けて延びる。
【００５１】
図８、図９に示すように、支持部７１Ｅの上側、且つ、支持部７１Ｂの左側に、リブ５５が設けられる。リブ５５がリブ５１と異なる点は、左右方向の長さである。リブ５５の左端部は、支持部７１Ｅの左端よりも突出し、第３カバー５の上端部５Ａの上側に被さる位置まで左方向に延びる。より詳しくは、リブ５５の左端部は、第３カバー５の上端部５Ａの左右方向の略中央の位置まで延びる。リブ５５は、上下方向において、第３カバー５の上端部５Ａとは僅かに隙間があって接触していないが、接触していてもよい。リブ５５の上側は、左右方向略中央から左側に向けて下方に傾斜する。これより、リブ５５の上端部は、第１カバー１０の左壁部１４の内側に沿って配置される。
【００５２】
図１０に示すように、リブ９５はリブ５５の前側に配置される。リブ９５の後端部とリブ５５とは、前後方向に離隔する。上側から見た状態で、リブ９５の第１部分９５Ａを通過して前後方向に延びる仮想直線Ｌ３を定義する。この場合、リブ５５は、仮想直線Ｌ３と交差位置Ｐ３で交差する。上側から見た状態で、リブ９５のうち、第１カバー１０の固定部１１Ｄ及び第２カバー２０の固定部２１Ｄに最も近接する位置を、「近接位置Ｐ４」と定義する。近接位置Ｐ４は、リブ９５の第１部分９５Ａの後端部に対応する。そして、交差位置Ｐ３と近接位置Ｐ４とは近接する。交差位置Ｐ３と近接位置Ｐ４との間の距離ΔＬ２は、接続位置Ｐ１と近接位置Ｐ２との間の距離ΔＬ１（図６参照）よりもわずかに大きく、約４ｍｍとなる。但し、この数値に限定するものではない。
【００５３】
図９に示すように、リブ５５の上端部は、第１カバー１０の上壁部１１よりも下側に配置される。リブ５５は、第１カバー１０の上壁部１１に対して下側に離隔する。リブ５５は、第１カバー１０に接触しない。
【００５４】
＜変形例の作用、効果＞
印刷装置１が、左壁部２３が下を向いた状態で落下し、第１カバー１０に対して右側に向かう力Ｆ３（図１０参照）が作用した場合を例示する。これに対し、フレーム７は、支持部７１Ｅにリブ５５を有する。第１カバー１０に力Ｆ３が作用した場合、リブ５５の左端部に第１カバー１０の左壁部１４が当接する。第１カバー１０の右側への移動は、リブ５５によって規制される。従って、第１カバー１０が移動することに応じて、第１カバー１０の左壁部１４がフレーム７の第３カバー５に乗り上げることを、リブ５５によって抑制できる。
【００５５】
印刷装置１が、上壁部１１が下を向いた状態で落下し、第１カバー１０に対して下側に向かう力Ｆ４（図９参照）が作用した場合を例示する。これに対し、第３カバー５のリブ５５は、第１カバー１０の上壁部１１に対して下側に離隔し、その間には隙間がある。このため、力Ｆ４が第１カバー１０９に作用した場合、第１カバー１０は、この隙間分下側に移動できる。これによって、印刷装置１の落下時における衝撃を、第１カバー１０の移動によって吸収できる。従って、印刷装置１は、落下時の衝撃によって第１カバー１０が破損することを抑制できる。また、印刷装置１は、落下時の衝撃によっては、フレーム７に対して第３カバー５が上方向に移動する場合がある。この場合は、第３カバー５の上端部５Ａがリブ５５に下側から当接して、第３カバー５の上方向の移動を抑制することができる。
【００５６】
＜その他の変形例＞
本発明は上記実施形態に限定されず、種々の変更が可能である。リブ１５、９５は、前後方向に直線状に延びていてもよい。このため、リブ１５に第２部分１５Ｂは設けられていなくてもよく、リブ９５に第２部分９５Ｂは設けられていなくてもよい。更に、リブ１６、１７、９７は設けられていなくてもよい。リブ１５、１６の接続位置Ｐ１と近接位置Ｐ２とが一致してもよい。リブ１６の下端部は、第３カバー５に接触してもよい。リブ５１の上端部は、第１カバー１０に接触してもよい。リブ１５、１６、又は、リブ９５と左右対称の形状を有するリブが、第１カバー１０の右端部に設けられてもよい。リブ１５、５５と左右対称の形状を有するリブが、フレーム７の右端部に設けられてもよい。
【００５７】
＜その他＞
サーマルヘッド７４Ａは、本発明の「印刷機構」の一例である。上下方向は、本発明の「第１方向」の一例である。上側は、本発明の「第１方向の一方側」の一例である。下側は、本発明の「第１方向の他方側」の一例である。左右方向は、本発明の「第２方向」の一例である。左側は、本発明の「第２方向の一方側」の一例である。右側は、本発明の「第２方向の他方側」の一例である。上壁部１１は、本発明の「第１板部」の一例である。左壁部１４は、本発明の「第２方向の一方側の第２板部」の一例である。リブ５１は、本発明の「第１リブ」の一例である。リブ１５は、本発明の「第２リブ」の一例である。リブ１６は、本発明の「第３リブ」の一例である。前後方向は、本発明の「第３方向」の一例である。固定部１１０、２１０は、本発明の「固定部」の一例である。
【符号の説明】
【００５８】
１        ：印刷装置
４        ：搬送機構
５        ：第３カバー
７        ：フレーム
９        ：筐体
１０      ：第１カバー
１５、１６、１７、５１、５５、９５、９７      ：リブ
２０      ：第２カバー
７４Ａ    ：サーマルヘッド
１１０、２１０    ：固定部
【図１】
2018051912.tif 000003
【図２】
2018051912.tif 000004
【図３】
2018051912.tif 000005
【図４】
2018051912.tif 000006
【図５】
2018051912.tif 000007
【図６】
2018051912.tif 000008
【図７】
2018051912.tif 000009
【図８】
2018051912.tif 000010
【図９】
2018051912.tif 000011
【図１０】
2018051912.tif 000012